(57)【要約】【課題】熱交換器の配管長さを延伸することなく、熱交換性能に優れた管式の熱交換器を提供する。【解決手段】内部を流体Ａが流れる第１の管３と、内部を流体Ｂが流れ、かつ、前記第１の管３内に複数配設された第２の管５とを備え、前記第２の管５の外表面に、径方向内側に凹む第１の凹部６を少なくとも軸方向に複数設けるとともに、前記第１の凹部６以外の前記第２の管５の外表面に、前記第１の凹部６よりも深さの小さい第２の凹部７を複数設けたことを特徴とするもので、複数の第１の凹部６によって、第２の管５の外表面に沿って流れる流体Ａの流れを乱れさせることができ、熱交換性能の向上が図れる。【選択図】図２
2010255857.tif 000002
【特許請求の範囲】
【請求項１】
内部を流体Ａが流れる第１の管と、内部を流体Ｂが流れ、かつ、前記第１の管内に複数配設された第２の管とを備え、前記第２の管の外表面に、径方向内側に凹む第１の凹部を少なくとも軸方向に複数設けるとともに、前記第１の凹部以外の前記第２の管の外表面に、前記第１の凹部よりも深さの小さい第２の凹部を複数設けたことを特徴とする熱交換器。
【請求項２】
第２の凹部の軸方向の長さが、第１の凹部よりも短いことを特徴とする請求項１に記載の熱交換器。
【請求項３】
第１の管を流れる流体Ａと第２の管を流れる流体Ｂとの流れが対向流れとなるように、前記第１の管と前記第２の管とのそれぞれに、流入口と流出口とを設けたことを特徴とする請求項１に記載の熱交換器。
【請求項４】
第２の管の流体Ｂの流出口から所定距離のみに、第１の凹部と第２の凹部とを設けたことを特徴とする請求項３に記載の熱交換器。
【請求項５】
流体Ａを水とし、流体Ｂを二酸化炭素とした請求項１〜４のいずれか１項に記載の熱交換器。
【請求項６】
請求項１〜５のいずれか１項に記載の熱交換器を搭載したヒートポンプ給湯機。
【発明の詳細な説明】
【技術分野】
【０００１】
本発明は、空調装置、給湯装置等の機器に用いられ、特にヒートポンプ式の給湯機等のように、水等の流体と冷媒等の二種の流体を熱交換させるための熱交換器に関するものである。
【背景技術】
【０００２】
従来、この種の熱交換器としては、内部に冷媒用流路が形成された内管と、内管の外側に設けられ内管との間に水用流路を形成する外管とから構成された二重管式のものが知られている（例えば、特許文献１参照）。
【０００３】
図６、図７は、特許文献１に記載された従来の熱交換器を示すものである。
【０００４】
図６、図７に示すように、この熱交換器１０１は、二重管式の熱交換器であり、内部を冷媒用流路１０２とする内管１０３と、内管１０３の外側に設けられ、内管１０３との間に水用流路１０４を形成する銅製の外管１０５とから構成され、この熱交換器１０１の場合は、内管１０３が２本設けられている。
【０００５】
内管１０３は、銅製の冷媒管１０６と、冷媒管１０６の外周に設けられた銅製の漏洩検知管１０７とから構成され、冷媒管１０６を拡管するか、或いは、漏洩検知管１０７を縮管することにより、冷媒管１０６と漏洩検知管１０７を密着している。
【０００６】
また、漏洩検知管１０７の内面には、配管方向に沿って複数の漏洩検知溝（図示せず）が形成されており、漏洩検知溝内には空気層が形成されている。さらに、漏洩検知溝は外部に設けられた漏洩検知センサー（図示せず）に接続されており、内管１０３または外管１０５から漏洩した冷媒、あるいは水は、漏洩検知溝を介して外部に漏出し、前記漏洩検知センサーにより検知されるようになっている。
【０００７】
以上のように構成された熱交換器について、以下その動作を説明する。
【０００８】
熱交換器１０１は、内管１０３と外管１０５の二重管により形成され、内管１０３の外周を水が流れ、冷媒管１０６内を冷媒が流れるもので、熱伝導性の良い銅製で且つ密着された冷媒管１０６と漏洩検知管１０７を介して冷媒と水が熱交換されるようになっている。
【先行技術文献】
【特許文献】
【０００９】
【特許文献１】特開２００５−６９６２０号公報
【発明の概要】
【発明が解決しようとする課題】
【００１０】
しかしながら、上記従来の構成では、内管１０３の外表面積が水と接触する水側の伝熱面積であるため、熱交換性能を向上させるためには、熱交換器１０１の内管１０３、外管１０５を共に延長させる等して熱交換器１０１の容量、重量を増加させ、性能を向上させねばならないという課題を有していた。
【００１１】
本発明は、上記従来の課題を解決するもので、熱交換器の管長を延長させることなく熱交換性能を向上させることができる管式の熱交換器を提供することを目的とするものであ
る。
【課題を解決するための手段】
【００１２】
上記従来の課題を解決するために、本発明の熱交換器は、内部を流体Ａが流れる第１の管と、内部を流体Ｂが流れ、かつ、前記第１の管内に複数配設された第２の管とを備え、前記第２の管の外表面に、径方向内側に凹む第１の凹部を少なくとも軸方向に複数設けるとともに、前記第１の凹部以外の前記第２の管の外表面に、前記第１の凹部よりも深さの小さい第２の凹部を複数設けたことを特徴とするもので、複数の第１の凹部によって第２の管の外表面に沿って流れる流体Ａの流れを乱れさせることができ、熱交換性能の向上が図れる。また、第１の凹部よりも深さが小さい第２の凹部を複数設けているので、伝熱面積の増加が図られ、更に熱交換性能の向上が図れるものである。
【発明の効果】
【００１３】
本発明によれば、熱交換器の管長を延長させることなく熱交換性能を向上させることができる管式の熱交換器を提供できる。
【図面の簡単な説明】
【００１４】
【図１】本発明の実施の形態１における熱交換器の側面図
【図２】同内管の構成を示す要部斜視図
【図３】図２のＡ−Ａ断面図
【図４】同内管の構成を示す要部斜視図
【図５】同内管の構成を示す要部斜視図
【図６】従来の熱交換器の上面図
【図７】図６のＢ−Ｂ断面図
【発明を実施するための形態】
【００１５】
第１の発明は、内部を流体Ａが流れる第１の管と、内部を流体Ｂが流れ、かつ、前記第１の管内に複数配設された第２の管とを備え、前記第２の管の外表面に、径方向内側に凹む第１の凹部を少なくとも軸方向に複数設けるとともに、前記第１の凹部以外の前記第２の管の外表面に、前記第１の凹部よりも深さの小さい第２の凹部を複数設けたことを特徴とするもので、第２の管の外表面に設けられた比較的大きな第１の凹部によって第１の管内を流れる流体Ａの流れの撹乱を誘起させ、更に第２の凹部によって伝熱面積を拡大することができ、その結果、流体Ａの主流への熱の拡散を促進させ、熱交換性能を向上することができる。
【００１６】
第２の発明は、第２の凹部の軸方向の長さが、第１の凹部よりも短いことを特徴とするもので、第１の凹部を除く第２の管の外表面に、第２の凹部を複数配置することができ、その分伝熱面積を拡大することができ、その結果、流体Ａの主流への熱の拡散をさらに促進させ、熱交換性能を向上することができる。
【００１７】
第３の発明は、第１の管を流れる流体Ａと第２の管を流れる流体Ｂとの流れが対向流れとなるように、前記第１の管と前記第２の管とのそれぞれに、流入口と流出口とを設けたことを特徴とするもので、流体Ａと流体Ｂの対向流に伴って流体Ａと流体Ｂの平均的な温度差を大きくすることができ、その結果、熱交換量を大きくすることができる。
【００１８】
第４の発明は、第２の管の流体Ｂの流出口から所定距離のみに、第１の凹部と第２の凹部とを設けたことを特徴とするもので、流体Ａがカルシウムの析出が多い水の場合でも、カルシウムが析出し易い高温部に前記溝を設けていないため、カルシウムの付着を極力抑えることができ、これに伴い効率の良い熱交換を実現することができる。
【００１９】
第５、６の発明は、流体Ａを水とし、流体Ｂを二酸化炭素としたもので、熱交換器を、例えばヒートポンプ式給湯機用として、水と冷媒の間で熱交換を行う熱交換器として用いた場合、前記二酸化炭素は超臨界状態で動作し、フロン系の冷媒に比して密度が高い状態で作動するため、高いヒートポンプ効率を得ることができる。
【００２０】
以下、本発明の実施の形態について、図面を参照しながら説明する。なお、この実施の形態によってこの発明が限定されるものではない。
【００２１】
（実施の形態１）
図１は、本発明の実施の形態１における熱交換器の側面図である。図２は、同実施の形態１における熱交換器の一部を切除した斜視図である。図３は、同実施の形態１における熱交換器の管断面構造を示す図２のＡ−Ａ線による断面図である。図４は、同実施の形態１における内管の構成を示す要部の斜視図である。
【００２２】
図１から図４において、熱交換器１は二重管式のヒートポンプ式給湯機用熱交換器であり、内部を水（本発明の流体Ａ）２が流れる銅製の外管（本発明の第１の管）３と、外管３と同様に銅製であって、外管３内に配設され、内部を冷媒である二酸化炭素（本発明の流体Ｂ）４が流れる２本の内管（本発明の第２の管）５を主体に構成されている。
【００２３】
内管５は、図３に示す如く冷媒管ａと冷媒管ａの外周に設けられた漏洩検知管ｂとから構成されている。冷媒管ａと漏洩検知管ｂは冷媒管ａを拡管するか、あるいは、漏洩検知管ｂを縮管することにより密着一体化されているものである。
【００２４】
そして、内管５は、図２に示す如く互いに螺旋状にねじり合わされ、その螺旋の中心が、外管３の軸心とほぼ同軸となるように外管３に内包されている。したがって、外管３内において、内管５との間を水２が流動する。しかもその流れは、内管５の螺旋に沿った旋回流となる。
【００２５】
さらに、外管３の両端、および内管５の両端には、それぞれ流入口３ａ、５ａと流出口３ｂ、５ｂが設けられており、内管５の冷媒である二酸化炭素４の流入口５ａ、流出口５ｂと、外管３の水２の流入口３ａ、流出口３ｂは、各々の流れが対向するように方向付けて設けられている。
【００２６】
また、内管５の外表面には、内管５の径方向内側に所定の深さＨ１だけ凹んだ第１の凹部６が複数形成されており、さらに第１の凹部６を除く内管５の外表面部分には、所定の深さＨ１より浅い所定の深さＨ２なる第２の凹部７が複数形成されている。
【００２７】
また、第２の凹部７の管軸方向の長さＬ２は第１の凹部６の管軸方向の長さＬ１よりも小さいものである。
【００２８】
第１の凹部６と第２の凹部７は、冷媒である二酸化炭素４の流出口５ｂから流入口５ａ側にかけて所定の範囲（所定の長さ）Ｘに設けられている。そして、その範囲Ｘを除く表面は、第１の凹部６と第２の凹部７がない状態に形成されている。
【００２９】
具体的な構成の一例として、図４に示す如く、内管５は、二種類の管体を採用し、所定の範囲Ｘに相当する部分（所定の位置から水２の入口３ａにわたる範囲）には表面に複数の第１の凹部６と第２の凹部７を具備する管５ｃを用い、それ以外の部分には、単純にパイプ加工された管５ｄを用い、両者をロウ付け等の手段によって連結し、その内管５を相互にねじり合わせた構成としている。
【００３０】
そして、管５ｄの内径は、管５ｃの外径と同等もしくは若干大きく設定され、冷媒である二酸化炭素４の流入口５ａまで連続した構成となっている。
【００３１】
ここで、以下の説明において所定の範囲Ｘを、説明の便宜上「低温部Ｘ」と称し、所定の範囲Ｘ以外の範囲を「高温部Ｙ」と称して説明する。
【００３２】
つまり、外管３内を流れる水２がカルシウムを含む場合、常温あるいは冷却されて低温で流れているとカルシウムの析出が生じ難く、加熱されて高温になると析出し易くなる性質がある。
【００３３】
このことに鑑みて、本実施の形態１の熱交換器１は、高温状態にある冷媒である二酸化炭素４と常温あるいは低温状態にある水２を熱交換するもので、外管３を流れる水２の温度において、比較的カルシウムの析出が生じ易い温度領域にある範囲、すなわち、冷媒である二酸化炭素４の流入口５ａ側に近い範囲を高温部Ｙと定義し、この高温部Ｙから冷媒である二酸化炭素４の流出口５ｂ側に向けての範囲、すなわち比較的カルシウムの析出が生じ難い温度領域を低温部Ｘと定義したものである。
【００３４】
さらに詳述すると、例えば、外管３を流れる水２の出湯温度を約９０℃とした場合、内管５を流れる冷媒である二酸化炭素４の温度が約６０℃程度の温度となる部分を境に低温部Ｘと高温部Ｙを定義したものである。
【００３５】
以上のように構成された熱交換器について、以下その動作を説明する。
【００３６】
それぞれの流入口３ａ、５ａから冷媒である二酸化炭素４と水２が流入することにより、内管５の内部をヒートポンプの冷媒とする冷媒である二酸化炭素４が流動し、外管３の内部における内管５との間を水２が流れる。これらの流れ方向は、前述の如く流入口３ａ、５ａと流出口３ｂ、５ｂの方向付けにより、対向して流れ、内管５の壁を介して冷媒である二酸化炭素４と水２が熱交換する。
【００３７】
したがって、水２は外管３の流出口３ｂに近くなるにつれてその温度が上昇し、冷媒である二酸化炭素４は、流出口５ｂに近くなるにつれてその温度が低下する。
【００３８】
上記熱交換作用において、内管５の外表面には、第１の凹部６と第２の凹部７を設けているため、第１の凹部６によって外管３の管内を流れる水２の流れの撹乱を誘起させ、更に第２の凹部７によって伝熱面積を拡大することができ、その結果、水２の主流への熱の拡散を促進させ、熱交換性能を向上することができる。
【００３９】
この時、第２の凹部７の管軸方向の長さＬ２が第１の凹部６の長さＬ１よりも小さいので、第２の凹部７を第１の凹部６よりも複数配置することができ、それだけ伝熱面積を拡大することができる。その結果、流体Ａの主流への熱の拡散をさらに促進させ、熱交換性能を向上することができる。
【００４０】
２本の内管５は互いに螺旋状にねじり合わされているので、内管５の周囲を流れる水２は前述の如く旋回流となり、温度混合を加速させる効果があり、より効率の良い熱交換を実現することができる。
【００４１】
さらに、第１の凹部６と第２の凹部７を低温部Ｘに設け、高温部Ｙに設けないことで、水２の中に溶けているカルシウム成分の高温部Ｙでの付着を抑えることができ、このカルシウム成分の付着に伴う流路面積の減少が抑制でき、長期にわたる信頼性を確保することができる。
【００４２】
さらに、内管５における少なくとも低温部Ｘを除く、所謂高温部Ｙの管５ｄの径を、低温部Ｘの管５ｃの径より大きく設定しているため、比較的温度の高い範囲における冷媒である二酸化炭素４の圧力損失を抑制することができ、これに伴う熱交換効率の低下を抑制することができる。
【００４３】
また、水２と冷媒である二酸化炭素４を対向流としたことにより、水２と冷媒である二酸化炭素４との温度差を大きくして熱交換量を大きくすることができ、熱交換器１の能力を高めることができる。
【００４４】
このように、本実施の形態１における熱交換器１は、内管５内を流れる冷媒である二酸化炭素４と外管３内を流れる水２の熱交換作用を効果的に行うことができ、これにより熱交換器１の管長を延長させることなく、熱交換性能を高めることができるものである。
【００４５】
次に、上記構成を基調とする熱交換器の一部を変更した構成について説明する。
【００４６】
図５は、実施の形態１における熱交換器の内管の異なる構成を示す要部の斜視図である。
【００４７】
図５において、図４との相違は、高温部Ｙに用いる内管５ｅの表面に、第１の凹部６ａと第２の凹部７ａを設けた点である。
【００４８】
かかる構成により、内管５ｅの表面積の増加と、内管５ｅの表面を流れる水２の撹乱作用が向上し、熱交換器１の熱交換能力を高めることができるものである。
【００４９】
この高温部Ｙに設ける内管５ｅについては、水２に含まれるカルシウムの析出、付着を抑制するために、第１の凹部６ａについて、数と深さを低温部Ｘよりも少なく、かつ浅いものとし、また第２の凹部７ａについて、相互の配置間隔および深さを低温部Ｘよりも広く設定する等の配慮を行っている。
【００５０】
また、高温部Ｙについては、第１の凹部６ａと第２の凹部７ａのいずれか一方のみを設ける構成とすることもでき、その形状、数量等については、水２に含まれるカルシウムの析出、付着が抑制できる範囲で設定すればよい。
【００５１】
尚、本発明の実施の形態１では、外管３内に配置する内管５の本数を２本としているが、それ以上の本数とすることもでき、同様の作用効果を期待することができる。
【００５２】
また、本実施の形態１において、第１の凹部６ａは、内管５を構成する管５ｃ、５ｅの軸方向に所定間隔毎に配置する構成としたが、その軸方向に加えて周方向に並んで配置する、あるいは千鳥状に配置する構成、さらにはスパイラル状に配置する構成とすることができ、どのような配置関係であっても同様の作用効果を期待することができる。
【００５３】
さらに、本発明の実施の形態１において、外管３、内管５を銅製としたが、少なくともいずれか一方を真鍮、ステンレス、耐食性を持った鉄、アルミ合金等を材料として構成しても、同様の作用効果が期待できる。
【００５４】
また、本発明の実施の形態１では、内管５を流れる冷媒を冷媒である二酸化炭素４としたが、ハイドロカーボン系やＨＦＣ系（Ｒ４１０Ａ等）の冷媒、あるいはこれらの代替冷媒とすることもできる。
【産業上の利用可能性】
【００５５】
以上のように、本発明にかかる熱交換器は、管長を長くして内管の伝熱面積を増加させることなく、熱交換器の熱交換性能を向上させることができるもので、冷媒である二酸化炭素を用いた超臨界ヒートポンプ式給湯器や、暖房用ブラインを加熱する超臨界ヒートポンプ装置、さらには、家庭用、業務用の空気調和機、あるいはヒートポンプによる乾燥機能を具備した洗濯乾燥機、穀物貯蔵倉庫等のヒートポンプ機器の他に、燃料電池等の熱交換用途にも適用できる。
【符号の説明】
【００５６】
１  熱交換器
２  水（流体Ａ）
３  外管（第１の管）
３ａ  流入口
３ｂ  流出口
４  二酸化炭素（流体Ｂ）
５  内管（第２の管）
５ａ  流入口
５ｂ  流出口
５ｃ  管
５ｄ  管
５ｅ  管
６  第１の凹部
７  第２の凹部
【図１】
2010255857.tif 000003
【図２】
2010255857.tif 000004
【図３】
2010255857.tif 000005
【図４】
2010255857.tif 000006
【図５】
2010255857.tif 000007
【図６】
2010255857.tif 000008
【図７】
2010255857.tif 000009